(57)【要約】【課題】  開閉式のＬＣＤ等の表示手段を閉じた状態で撮影を行った後に、開閉式のＬＣＤ等の表示手段を開くと、自動的に最後に撮影した撮影画像データを表示手段に表示する。【解決手段】  撮像した静止画像及び或いは動画像を記録媒体に記録及び再生表示する画像処理装置であって、撮像手段と、記録手段と、制御手段と、開閉式のＬＣＤ等の表示手段とを有し、制御手段は、開閉式のＬＣＤ等の表示手段が閉じている状態で撮影が行われ、その後、開閉式のＬＣＤ等の表示手段が開かれたときには、表示手段に最後に撮影した画像データを、自動で表示することを特徴とする画像処理装置。【選択図】        図７
2005184611.tif 000002
【特許請求の範囲】
【請求項１】
撮像した静止画像及び或いは動画像を記録媒体に記録及び再生表示する画像処理装置であって、
撮像手段と、記録手段と、制御手段と、開閉式のＬＣＤ等の表示手段とを有し、
制御手段は、
開閉式のＬＣＤ等の表示手段が閉じている状態で撮影が行われ、
その後、開閉式のＬＣＤ等の表示手段が開かれたときには、
表示手段に最後に撮影した画像データを、自動で表示することを特徴とする画像処理装置。
【請求項２】
制御手段は、
開閉式のＬＣＤ等の表示手段が閉じた状態で撮影が行われ、
その後、所定時間以内に、開閉式のＬＣＤ等の表示手段が開かれたときのみ、
表示手段に最後に撮影した画像データを表示することを特徴とする請求項１記載の画像処理装置。
【請求項３】
さらに操作部材とを有し、
制御手段は、
開閉式のＬＣＤ等の表示手段が閉じている状態で撮影が行われ、
特定の操作部材が操作されることなく開閉式のＬＣＤ等の表示手段が開かれたときのみ、
表示手段に最後に撮影した画像データを表示することを特徴とする請求項１記載の画像処理装置。
【請求項４】
使用者が所定時間を設定可能であることを特徴とする請求項２記載の画像処理装置。
【請求項５】
特定の操作部材とは、シャッタースイッチＳＷ１であることを特徴とする請求項３記載の画像処理装置。
【請求項６】
特定の操作部材とは、メニューボタンであることを特徴とする請求項３記載の画像処理装置。
【請求項７】
特定の操作部材とは、セットボタンであることを特徴とする請求項３記載の画像処理装置。
【請求項８】
特定の操作部材とは、マクロボタンであることを特徴とする請求項３記載の画像処理装置。
【請求項９】
特定の操作部材とは、フラッシュ設定ボタンであることを特徴とする請求項３記載の画像処理装置。
【請求項１０】
特定の操作部材とは、単写／連写／セルフタイマー切り替えボタンであることを特徴とする請求項３記載の画像処理装置。
【請求項１１】
特定の操作部材とは、メニュー移動ボタンであることを特徴とする請求項３記載の画像処理装置。
【請求項１２】
特定の操作部材とは、再生画像移動ボタンであることを特徴とする請求項３記載の画像処理装置。
【請求項１３】
特定の操作部材とは、撮影画質選択ボタンであることを特徴とする請求項３記載の画像処理装置。
【請求項１４】
特定の操作部材とは、露出補正ボタンであることを特徴とする請求項３記載の画像処理装置。
【請求項１５】
特定の操作部材とは、日付／時間設定ボタンであることを特徴とする請求項３記載の画像処理装置。
【請求項１６】
特定の操作部材とは、画像表示ＯＮ／ＯＦＦボタンであることを特徴とする請求項３記載の画像処理装置。
【請求項１７】
特定の操作部材とは、クイックレビューＯＮ／ＯＦＦボタンであることを特徴とする請求項３記載の画像処理装置。
【請求項１８】
特定の操作部材とは、モードダイアルであることを特徴とする請求項３記載の画像処理装置。
【発明の詳細な説明】
【技術分野】
【０００１】
本発明は、静止画像や動画像を撮像、記録、再生する画像処理装置及び画像処理装置制御方法に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
また、カラー液晶パネル部分が開閉式になっており、カラー液晶パネルを使用しないときには、カラー液晶パネルを閉じることが出来るものも市販されている。
これらの電子カメラによれば、撮影前の画像を連続して表示して電子カメラの使用者が構図を決定することや、撮影した画像を再生表示して確認することが可能である。
【０００４】
特に、撮影した画像を撮影直後に再生する機能は利便性が高く、電子カメラの使用者にとって有益な機能となっている。
【特許文献１】特開２０００−１５６８０２号公報
【発明の開示】
【発明が解決しようとする課題】
【０００５】
このような従来の電子カメラ等の画像処理装置においては、開閉式のカラー液晶パネルを閉じて撮影を行った場合、撮影した画像を撮影直後に表示することが出来ないため不便であるという問題があった。
【０００６】
従来の電子カメラでは、開閉式のカラー液晶パネルを閉じて撮影を行った後に、撮影した画像を確認するときには、カラー液晶パネルを開き、ダイアルを再生モードにする必要があり、手間が掛かっていた。
【０００７】
本発明は、以上の点に着目して成されたもので、開閉式のＬＣＤ等の表示装置を閉じた状態で撮影を行ったときに、開閉式のＬＣＤ等の表示装置を開くと、最後に撮影した撮影画像を表示装置に表示することによって、簡単・迅速に撮影した画像の確認が可能となる画像処理装置を提供することを目的とする。
【課題を解決するための手段】
【０００８】
この発明は下記の構成を備えることにより上記課題を解決できるものである。
【０００９】
（１）撮像した静止画像及び或いは動画像を記録媒体に記録及び再生表示する画像処理装置であって、撮像手段と、記録手段と、制御手段と、開閉式のＬＣＤ等の表示手段とを有し、制御手段は、開閉式のＬＣＤ等の表示手段が閉じている状態で撮影が行われ、その後、開閉式のＬＣＤ等の表示手段が開かれたときには、表示手段に最後に撮影した画像データを、自動で表示することを特徴とする画像処理装置。
【００１０】
（２）制御手段は、開閉式のＬＣＤ等の表示手段が閉じた状態で撮影が行われ、その後、所定時間以内に、開閉式のＬＣＤ等の表示手段が開かれたときのみ、表示手段に最後に撮影した画像データを表示することを特徴とする前記（１）記載の画像処理装置。
【００１１】
（３）さらに操作部材とを有し、制御手段は、開閉式のＬＣＤ等の表示手段が閉じている状態で撮影が行われ、特定の操作部材が操作されることなく開閉式のＬＣＤ等の表示手段が開かれたときのみ、表示手段に最後に撮影した画像データを表示することを特徴とする前記（１）記載の画像処理装置。
【００１２】
（４）使用者が所定時間を設定可能であることを特徴とする前記（２）記載の画像処理装置。
【００１３】
（５）特定の操作部材とは、シャッタースイッチＳＷ１であることを特徴とする前記（３）記載の画像処理装置。
【００１４】
（６）特定の操作部材とは、メニューボタンであることを特徴とする前記（３）記載の画像処理装置。
【００１５】
（７）特定の操作部材とは、セットボタンであることを特徴とする前記（３）記載の画像処理装置。
【００１６】
（８）特定の操作部材とは、マクロボタンであることを特徴とする前記（３）記載の画像処理装置。
【００１７】
（９）特定の操作部材とは、フラッシュ設定ボタンであることを特徴とする前記（３）記載の画像処理装置。
【００１８】
（１０）特定の操作部材とは、単写／連写／セルフタイマー切り替えボタンであることを特徴とする前記（３）記載の画像処理装置。
【００１９】
（１１）特定の操作部材とは、メニュー移動ボタンであることを特徴とする前記（３）記載の画像処理装置。
【００２０】
（１２）特定の操作部材とは、再生画像移動ボタンであることを特徴とする前記（３）記載の画像処理装置。
【００２１】
（１３）特定の操作部材とは、撮影画質選択ボタンであることを特徴とする前記（３）記載の画像処理装置。
【００２２】
（１４）特定の操作部材とは、露出補正ボタンであることを特徴とする前記（３）記載の画像処理装置。
【００２３】
（１５）特定の操作部材とは、日付／時間設定ボタンであることを特徴とする前記（３）記載の画像処理装置。
【００２４】
（１６）特定の操作部材とは、画像表示ＯＮ／ＯＦＦボタンであることを特徴とする前記（３）記載の画像処理装置。
【００２５】
（１７）特定の操作部材とは、クイックレビューＯＮ／ＯＦＦボタンであることを特徴とする前記（３）記載の画像処理装置。
【００２６】
（１８）特定の操作部材とは、モードダイアルであることを特徴とする前記（３）記載の画像処理装置。
【００２７】
上記手段により、開閉式のカラー液晶パネルを閉じて撮影を行った場合、撮影した画像を撮影直後に表示することが出来ないという問題のない画像処理装置を提供することが可能となる。
【００２８】
開閉式のカラー液晶パネルを閉じて撮影を行った後に、カラー液晶パネルを開くと撮影した画像の確認を行うことが出来る画像処理装置を提供することが可能となる。
【発明の効果】
【００２９】
本発明によれば、次のような効果が得られる。
【００３０】
開閉式のＬＣＤ等の表示装置を閉じた状態で撮影を行ったときに、開閉式のＬＣＤ等の表示装置を開くと、最後に撮影した撮影画像を表示装置に表示することによって、簡単・迅速に撮影した画像の確認が可能となる。
【発明を実施するための最良の形態】
【００３１】
以下本発明を実施するための最良の形態を、実施例により詳しく説明する。
【実施例】
【００３２】
（第１の実施例）
以下、図面を参照して本発明の実施例を説明する。
【００３３】
図１は、本発明の実施例の構成を示す図である。
【００３４】
図１において、１００は画像処理装置である。
【００３５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００３６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００３７】
２０は画像処理回路であり、Ａ／Ｄ変換器１６からのデータ或いはメモリ制御回路２２からのデータに対して所定の画素補間処理や色変換処理を行う。
【００３８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００３９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００４０】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００４１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００４２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００４３】
画像表示部２８を用いて撮像した画像データを逐次表示すれば、電子ファインダー機能を実現することが可能である。
【００４４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００４５】
さらに、画像表示部２８は、回転可能なヒンジ部によって画像処理装置１００本体と結合されており、自由な向き、角度を設定して電子ファインダー機能や再生表示機能、各種表示機能を使用することが可能である。
【００４６】
また、画像表示部２８の表示部分を画像処理装置１００に向けて格納することが可能であり、この場合は画像表示部開閉検知手段１０６により、格納状態を検知して画像表示部２８の表示動作を停止することが出来る。
【００４７】
３０は撮影した静止画像や動画像を格納するためのメモリであり、所定枚数の静止画像や所定時間の動画像を格納するのに十分な記憶量を備えている。
【００４８】
これにより、複数枚の静止画像を連続して撮影する連写撮影やパノラマ撮影の場合にも、高速かつ大量の画像書き込みをメモリ３０に対して行うことが可能となる。
【００４９】
また、メモリ３０はシステム制御回路５０の作業領域としても使用することが可能である。
【００５０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００５１】
４０は絞り機能を備えるシャッター１２を制御する露光制御手段であり、フラッシュ４８と連携することによりフラッシュ調光機能も有するものである。
【００５２】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００５３】
４８はフラッシュであり、ＡＦ補助光の投光機能、フラッシュ調光機能も有する。
【００５４】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００５５】
５０は画像処理装置１００全体を制御するシステム制御回路、５２はシステム制御回路５０の動作用の定数、変数、プログラム等を記憶するメモリである。
【００５６】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００５７】
また、表示部５４は、その一部の機能が光学ファインダー１０４内に設置されている。
【００５８】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００５９】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００６０】
５６は電気的に消去・記録可能な不揮発性メモリであり、例えばＥＥＰＲＯＭ等が用いられる。
【００６１】
６０、６２、６４、６６及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００６２】
ここで、これらの操作手段の具体的な説明を行う。
【００６３】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００６４】
６２はシャッタースイッチＳＷ１で、図１０に示すシャッターボタン６３の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００６５】
６４はシャッタースイッチＳＷ２で、図１０に示すシャッターボタン６３の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００６６】
６６は画像表示ＯＮ／ＯＦＦスイッチで、画像表示部２８のＯＮ／ＯＦＦを設定することが出来る。
【００６７】
この機能により、光学ファインダー１０４を用いて撮影を行う際に、ＴＦＴ  ＬＣＤ等から成る画像表示部への電流供給を遮断することにより、省電力を図ることが可能となる。
【００６８】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、クイックレビューＯＮ／ＯＦＦボタン等がある。
【００６９】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００７０】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００７１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００７２】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００７３】
インタフェース及びコネクタとしては、ＰＣＭＣＩＡカードやＣＦ（コンパクトフラッシュ（Ｒ））カード等の規格に準拠したものを用いて構成して構わない。
【００７４】
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００７５】
１０２は、画像処理装置１００のレンズ１０を含む撮像部を覆う事により、撮像部の汚れや破損を防止するバリアである保護手段である。
【００７６】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００７７】
１０６は画像表示部開閉検知手段であり、画像表示部２８が、画像表示部２８の表示部分を画像処理装置１００に向けて格納した格納状態にあるかどうかを検知することが出来る。
【００７８】
ここで、格納状態にあると検知したならば画像表示部２８の表示動作を停止して不要な電力消費を禁止することが可能である。
【００７９】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００８０】
１１２は通信手段１１０により画像処理装置１００を他の機器と接続するコネクタ或いは無線通信の場合はアンテナである。
【００８１】
２００はメモリカードやハードディスク等の記録媒体である。
【００８２】
記録媒体２００は、半導体メモリや磁気ディスク等から構成される記録部２０２、画像処理装置１００とのインタフェース２０４、画像処理装置１００と接続を行うコネクタ２０６を備えている。
【００８３】
２１０はメモリカードやハードディスク等の記録媒体である。
【００８４】
記録媒体２１０は、半導体メモリや磁気ディスク等から構成される記録部２１２、画像処理装置１００とのインタフェース２１４、画像処理装置１００と接続を行うコネクタ２１６を備えている。
【００８５】
図１０は、本発明の位置実施例による、画像処理装置１００の背面図の一例である。（ａ）が画像表示部２８を画像処理装置１００に向けて格納した格納状態である。このとき、使用者は画像表示部２８の表示部分を見ることが出来ない。この状態のとき、画像表示部開閉検知手段１０６は、画像表示部２８が閉じていることを検知する。（ｂ）が画像表示部２８を開いた状態である。このとき、使用者は画像表示部２８を見ることが出来る。この状態のとき、画像表示部開閉検知手段１０６は、画像表示部２８が開いていることを検知する。
【００８６】
図２から図９を参照して、第１の実施例の動作を説明する。
【００８７】
図２及び図３は本実施例の画像処理装置１００の主ルーチンのフローチャートを示す。
【００８８】
図２及び図３を用いて、画像処理装置１００の動作を説明する。
【００８９】
電池交換等の電源投入により、システム制御回路５０はフラグや制御変数等を初期化する（Ｓ１０１）。つぎに、画像確認フラグをＯＦＦにして（Ｓ１０２）、画像表示部２８の画像表示をＯＦＦ状態に初期設定する（Ｓ１０３）。なお、画像確認フラグの状態は、システム制御回路５０の内部メモリ或いはメモリ５２に記憶する。
【００９０】
システム制御回路５０は、モードダイアル６０の設定位置を判断し、モードダイアル６０が電源ＯＦＦに設定されていたならば（Ｓ１０４）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０６）、Ｓ１０４に戻る。
【００９１】
モードダイアル６０が撮影モードに設定されていたならば（Ｓ１０４）、Ｓ１０７に進む。
【００９２】
モードダイアル６０がその他のモードに設定されていたならば（Ｓ１０４）、システム制御回路５０は選択されたモードに応じた処理を実行し（Ｓ１０５）、処理を終えたならばＳ１０４に戻る。
【００９３】
システム制御回路５０は、電源制御手段８０により電池等により構成される電源８６の残容量や動作情況が画像処理装置１００の動作に問題があるか否かを判断し（Ｓ１０７）、問題があるならば表示部５４を用いて画像や音声により所定の警告表示を行った後に（Ｓ１０９）、Ｓ１０４に戻る。
【００９４】
電源８６に問題が無いならば（Ｓ１０７）、システム制御回路５０は記録媒体２００或いは２１０の動作状態が画像処理装置１００の動作、特に記録媒体に対する画像データの記録再生動作に問題があるか否かを判断し（Ｓ１０８）、問題があるならば表示部５４を用いて画像や音声により所定の警告表示を行った後に（Ｓ１０９）、Ｓ１０４に戻る。
【００９５】
記録媒体２００或いは２１０の動作状態に問題が無いならば（Ｓ１０８）、表示部５４を用いて画像や音声により画像処理装置１００の各種設定状態の表示を行う（Ｓ１１０）。なお、画像表示部２８の画像表示がＯＮであったならば、画像表示部２８も用いて画像や音声により画像処理装置１００の各種設定状態の表示を行う。
【００９６】
システム制御回路５０は、画像表示部開閉検知手段１０６により、画像表示部２８の開閉状態を判定し（Ｓ１１１）、開いている場合は、撮影画像表示処理を行う（Ｓ１１２）。
【００９７】
このＳ１１２撮影画像表示処理の詳細については、図７を用いて後述する。
【００９８】
つぎに、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【００９９】
スルー表示状態に於いては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【０１００】
画像表示ＯＮ／ＯＦＦスイッチ６６が画像表示ＯＦＦに設定されていた（Ｓ１１３）、もしくは画像表示部２８が閉じられていたならば（Ｓ１１１）、画像表示フラグを解除すると共に（Ｓ１１７）、画像表示部２８の画像表示をＯＦＦ状態に設定して（Ｓ１１８）、Ｓ１１９に進む。
【０１０１】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。
【０１０２】
なお、画像表示フラグの状態は、システム制御回路５０の内部メモリ或いはメモリ５２に記憶する。
【０１０３】
シャッタースイッチＳＷ１が押されていないならば（Ｓ１１９）、Ｓ１０４に戻る。
【０１０４】
シャッタースイッチＳＷ１が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【０１０５】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【０１０６】
画像表示フラグが解除されていたならば（Ｓ１２０）、Ｓ１２２に進む。
【０１０７】
システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【０１０８】
この測距・測光処理Ｓ１２２の詳細は図４を用いて後述する。
【０１０９】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【０１１０】
シャッタースイッチＳＷ２が押されずに（Ｓ１２５）、さらにシャッタースイッチＳＷ１も解除されたならば（Ｓ１２６）、Ｓ１０４に戻る。
【０１１１】
シャッタースイッチＳＷ２が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１２９に進む。
【０１１２】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【０１１３】
画像表示フラグが解除されていたならば（Ｓ１２７）、Ｓ１２９に進む。
【０１１４】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。
【０１１５】
この撮影処理Ｓ１２９の詳細は図５を用いて後述する。
【０１１６】
次に、システム制御回路５０は、撮影した画像を画像表示部２８に表示するクイックレビュー処理を行う（Ｓ１３０）。
【０１１７】
このクイックレビュー処理Ｓ１３０の詳細は図８を用いて後述する。
【０１１８】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３１）。
【０１１９】
この記録処理Ｓ１３１の詳細は図６を用いて後述する。
【０１２０】
記録処理Ｓ１３１が終了した際に、シャッタースイッチＳＷ２が押された状態であったならば（Ｓ１３２）、システム制御回路５０はシステム制御回路５０の内部メモリ或いはメモリ５２に記憶される連写フラグの状態を判断し（Ｓ１３３）、連写フラグが設定されていたならば、連続して撮影を行うためにＳ１２９に戻り、次の撮影を行う。
【０１２１】
連写フラグが設定されていないならば（Ｓ１３３）、シャッタースイッチＳＷ２が放されるまで（Ｓ１３２）、現在の処理を繰り返す。
【０１２２】
このように、本発明によれば、撮影直後にクイックレビュー表示を行う動作設定状態の場合に、記録処理Ｓ１３１が終了した際にシャッタースイッチＳＷ２が押された状態であったならば、シャッタースイッチＳＷ２が放されるまで画像表示部２８におけるクイックレビュー表示を継続して撮影画像の確認を入念に行うことを可能とすることが出来る。
【０１２３】
記録処理Ｓ１３１が終了した際にシャッタースイッチＳＷ２が放された状態であった、或いは、シャッタースイッチＳＷ２を押し続けてクイックレビュー表示を継続して撮影画像の確認を行った後にシャッタースイッチＳＷ２を放した状態であったならば（Ｓ１３２）、所定のミニマムレビュー時間が経過した後にＳ１３５に進む（Ｓ１３４）。
【０１２４】
このように、本発明によれば、画像表示部２８におけるクイックレビュー表示を所定の時間継続することにより、撮影画像の確認を確実に行うことを可能とすると共に、不必要に長時間クイックレビュー表示を継続して次の撮影チャンスを失うことを防止することが出来る。
【０１２５】
なお、このミニマムレビュー時間は、例えば図９のようなメニューを、画像表示部２８に表示して、使用者が任意に設定できるようにしても構わない。
【０１２６】
図９は、使用者が３秒間クイックレビュー表示を行うように設定したときのメニュー表示の一例である。
【０１２７】
システム制御回路５０は、画像表示フラグが設定されていたならば（Ｓ１３５）、画像表示部２８の表示状態をスルー表示状態に設定して（Ｓ１３６）、Ｓ１３８に進む。
【０１２８】
この場合、画像表示部２８でのクイックレビュー表示によって撮影画像を確認した後に、次の撮影のために撮像した画像データを逐次表示するスルー表示状態にすることが出来る。
【０１２９】
画像表示フラグが解除されていたならば（Ｓ１３５）、画像表示部２８の画像表示をＯＦＦ状態に設定して（Ｓ１３７）、Ｓ１３８に進む。
【０１３０】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１３１】
シャッタースイッチＳＷ１が押された状態であったならば（Ｓ１３８）、システム制御回路５０は、Ｓ１２５に戻って次の撮影に備える。
【０１３２】
シャッタースイッチＳＷ１が放された状態であったならば（Ｓ１３８）、システム制御回路５０は、一連の撮影動作を終えてＳ１０４に戻る。
【０１３３】
図４は、図３のＳ１２２における測距・測光処理の詳細なフローチャートを示す。
【０１３４】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１３５】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１３６】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【０１３７】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【０１３８】
露出（ＡＥ）が適正と判断したならば（Ｓ２０２）、測定データ及び或いは設定パラメータをシステム制御回路５０の内部メモリ或いはメモリ５２に記憶する。
【０１３９】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１４０】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１４１】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１４２】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１４３】
図５は、図３のＳ１２９における撮影処理の詳細なフローチャートを示す。
【０１４４】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【０１４５】
フラッシュフラグによりフラッシュ４８が必要か否かを判断し（Ｓ３０３）、必要な場合はフラッシュを発光させる（Ｓ３０４）。
【０１４６】
システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【０１４７】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行った後、メモリ３０に処理を終えた画像データを書き込む。
【０１４８】
システム制御回路５０は、メモリ３０から画像データを読み出し、メモリ制御回路２２を介して画像表示メモリ２４に表示画像データの転送を行う（Ｓ３１１）。
【０１４９】
一連の処理を終えたならば、撮影処理ルーチンＳ１２９を終了する。
【０１５０】
図６は、図３のＳ１３４における記録処理の詳細なフローチャートを示す。
【０１５１】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【０１５２】
そして、メモリ３０に書き込まれた画像データを読み出して、設定したモードに応じた画像圧縮処理を圧縮・伸長回路３２により行った後（Ｓ４０２）、インタフェース９０或いは９４、コネクタ９２或いは９６を介して、メモリカードやコンパクトフラッシュ（Ｒ）カード等の記録媒体２００或いは２１０へ圧縮した画像データの書き込みを行う（Ｓ４０３）。
【０１５３】
記録媒体への書き込みが終わったならば、記録処理ルーチンＳ１３１を終了する。
【０１５４】
図７は、図３のＳ１３０におけるクイックレビュー処理の詳細なフローチャートを示す。
【０１５５】
システム制御回路５０は、画像表示フラグを判定し（Ｓ５０１）、画像表示フラグがＯＮであったならば、Ｓ５０２へ進む。一方、画像表示フラグがＯＦＦであったならば、画像表示部開閉検知部の状態を判定し（Ｓ５０２）、画像表示部２８が閉じていた場合には、画像確認フラグをＯＮにして（Ｓ５０５）処理を終了する。一方、画像表示部２８が開いていた場合には、画像表示部２８をＯＮにして（Ｓ５０３）、クイックレビュー表示を行い（Ｓ５０４）、処理を終了する。
【０１５６】
画像表示部２８が閉じていた場合には、使用者が画像表示部２８の表示部分を見ることが出来ないため、クイックレビュー表示を行わない。画像表示部２８が閉じていた場合は、クイックレビュー表示が行えなかったことを表すフラグ、画像確認フラグをＯＮにする。なお、画像確認フラグの状態は、システム制御回路５０の内部メモリ或いはメモリ５２に記憶する。
【０１５７】
図８は、図２のＳ１１２における撮影画像表示処理の詳細なフローチャートを示す。
【０１５８】
撮影画像表示処理は、画像表示部２８が閉じている状態から、開いた状態になったときに、最後に撮影した画像を表示する処理を行う。画像表示部２８が閉じているときは、画像表示部はＯＦＦ状態になっている。つまり、画像表示部２８が開かれた直後は、画像表示部２８はＯＦＦ状態である。
【０１５９】
システム制御回路５０は、画像確認フラグの状態を判定し（Ｓ６０１）、画像確認フラグがＯＦＦのときは、何もしないで処理を終了する。一方、画像確認フラグの状態がＯＮであったならば、画像表示部２８の画像表示をＯＮ状態に設定する。つぎに、メモリ３０、もしくは記録媒体２００・２１０から最後に撮影した圧縮画像データを読み込む（Ｓ６０３）。読み込んだ圧縮データを、圧縮・伸長回路３２を用いて伸張する（Ｓ６０４）。伸張したデータはメモリ３０に格納する。伸張したデータから表示用のデータを作成し（Ｓ６０５）、メモリ制御回路２２を介して画像表示メモリ２４に表示画像データの転送を行う（Ｓ６０６）。つぎに、表示画像データを画像表示部２８に表示する（Ｓ６０７）。その後、所定のミニマムレビュー時間が経過すれば（Ｓ６０８）、画像確認フラグをＯＦＦにして（Ｓ６０９）、処理を終了する。ここでのミニマムレビュー時間は、図３のＳ１３４と同じ時間であっても構わない。図３のＳ１３４と同じ時間にすることによって、使用者が図９に示したメニューなどを表示して、レビュー時間を任意に設定することが可能となる。
【０１６０】
このように、本発明によれば、画像表示部２８の表示部分を画像処理装置１００に向けて格納した状態で撮影を行った後に、画像表示部２８の表示部分を開くと、最後の画像を表示することが可能となる。画像表示部２８を閉じた状態で撮影を行うと、クイックレビューを表示することが出来ない。しかし、画像表示部２８を開くと、最後に撮影した画像を表示することによって、使用者が直前に撮影した撮影画像の確認を簡単・迅速に行うことが可能となる。
【０１６１】
（第２の実施例）
図１１から図１２を参照して、第２の実施例の動作を説明する。
【０１６２】
第１の実施例と、メインルーチンは同じである。第１の実施例との違いは、図２のＳ１１２撮影画像表示処理、および図３のＳ１３０クイックレビュー処理である。
【０１６３】
図１１は、第２の実施例によるクイックレビュー処理である。
【０１６４】
システム制御回路５０は、画像表示フラグの状態を判定し（Ｓ５０１）、画像表示フラグがＯＦＦであったならばＳ５０２に進む。つぎに、画像表示部開閉検知部の状態を判定し（Ｓ５０２）、画像表示部２８が閉じていた場合には、画像確認フラグをＯＮにし（Ｓ５０５）、撮影時の時刻を保存し（Ｓ７０１）て処理を終了する。撮影時の時刻として、Ｓ７０１での時刻を保存する。なお、撮影時の時刻は、システム制御回路５０の内部メモリ或いはメモリ５２に記憶する。
【０１６５】
Ｓ５０３、Ｓ５０４、Ｓ５０５は、第１の実施例で説明した図７と同様であり、ここでは説明しない。
【０１６６】
図１２は、第２の実施例による撮影画像表示処理である。
【０１６７】
システム制御回路５０は、画像確認フラグの状態を判定し（Ｓ６０１）、ＯＮならばＳ８０１に進む。つぎに、現在の時刻と、図１１のＳ７０１で保存した撮影時の時刻とを比較して（Ｓ８０１）、所定時間以上経っていたならば、何もしないで処理を終了する。所定時間以上経っていないならば、Ｓ６０３からＳ６０９までの処理を行い、最後に撮影した画像を表示する処理を行う。
【０１６８】
Ｓ６０３、Ｓ６０４、Ｓ６０５、Ｓ６０６、Ｓ６０７、Ｓ６０８、Ｓ６０９は、第１の実施例で説明した図８と同様であり、ここでは説明しない。
【０１６９】
ここでの所定時間は、例えば３秒などでも構わない。また、ミニマムレビュー時間設定と同様に、メニューを表示して、使用者が所定時間間隔を任意に設定できるようにしても、もちろん構わない。
このように第２の実施例によれば、撮影後、所定時間以内に画像表示部２８の表示部を開くと、撮影した画像の確認を行うことが可能となる。撮影直後に、画像表示部２８の表示部を開いたときのみ、撮影した画像の確認を行うことによって、使用者が撮影した画像の確認を行いたいと思ったときだけ、撮影した画像の表示を行うことが可能となる。使用者が撮影した画像の確認をする必要がないときは、画像表示部２８の表示部を閉じたままにしておけば、その後画像表示部２８の表示部を開いたときに、撮影した画像の表示を行わない。
【０１７０】
（第３の実施例）
図１３を参照して、第３の実施例の動作を説明する。
【０１７１】
第１の実施例との違いは、図３のメインルーチンのＳＷ１押下時の処理である。その他の処理は、第１の実施例、あるいは第２の実施例と同じである。
【０１７２】
図１３は、第３の実施例によるメインルーチンの処理である。
【０１７３】
システム制御回路５０はシャッタースイッチＳＷ１が押されたならば（Ｓ１１９）、画像確認フラグをＯＦＦにする（Ｓ９０１）。シャッタースイッチＳＷ１が押されていないならば図２のＳ１０４へ戻る。
【０１７４】
その他の処理Ｓ１２０〜Ｓ１３８は、第１の実施例で説明したものと同じであり、ここでは説明しない。
【０１７５】
このように第３の実施例によれば、使用者が撮影した画像の確認を行いたいときだけ、撮影した画像の表示を行うことが可能となる。撮影後、シャッタースイッチＳＷ１を押せば、画像表示部２８の表示部を開いても、撮影した画像の表示を行わない。使用者が撮影した画像の確認を行う必要がないと判断したときは、シャッタースイッチＳＷ１を押下すれば、その後、画像表示部２８の表示部を開いたときに、撮影した画像の表示を行わない。
【０１７６】
なお、第３の実施例では、シャッタースイッチＳＷ１を押すと、画像表示部２８の表示部を開いても、撮影した画像の表示を行わないと説明したが、シャッタースイッチＳＷ１ではなく、他のボタンでも構わない。例えば、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、クイックレビューＯＮ／ＯＦＦボタン、モードダイアルなどでも構わない。また、撮影後、画像表示部２８の表示部が開かれる前に、上記のボタンのうちどれかひとつでも押されると、撮影した画像の表示を行わないように構成しても、もちろん構わない。
【０１７７】
［他の実施形態］
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１７８】
この場合、記憶媒体から読み出されたプログラムコード自体が前述した実施形態の機能を実現することになり、そのプログラムコードを記憶した記憶媒体は本発明を構成することになる。
【０１７９】
プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【０１８０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０１８１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０１８２】
【図１】本発明の一実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである。
【図７】第１の実施例によるクイックレビュー処理のフローチャートである。
【図８】第１の実施例による撮影画像表示処理のフローチャートである。
【図９】本実施例の撮影画像の確認時間を設定するメニュー表示の一例である。
【図１０】本発明の画像処理装置の背面図の一例である。
【図１１】第２の実施例によるクイックレビュー処理のフローチャートである。
【図１２】第２の実施例による撮影画像表示処理のフローチャートである。
【図１３】第３の実施例によるメインルーチンのフローチャートである。
【符号の説明】
【０１８３】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６３  シャッターボタン
６４  シャッタースイッチＳＷ２
６６  画像表示ＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダー
１０６  画像表示部開閉検知手段
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2005184611.tif 000003
【図２】
2005184611.tif 000004
【図３】
2005184611.tif 000005
【図４】
2005184611.tif 000006
【図５】
2005184611.tif 000007
【図６】
2005184611.tif 000008
【図７】
2005184611.tif 000009
【図８】
2005184611.tif 000010
【図９】
2005184611.tif 000011
【図１０】
2005184611.tif 000012
【図１１】
2005184611.tif 000013
【図１２】
2005184611.tif 000014
【図１３】
2005184611.tif 000015